(57)【特許請求の範囲】
【請求項１】
個々の媒体に固有の固有データが記録されており、かつ、ユーザが使用するユーザデータが前記固有データを用いて暗号化されて記録される領域を備えている記録可能データ記録媒体であって、
前記領域には、
ユーザが使用するユーザデータが第１のデータフォーマットで記録され、かつ、個々の媒体に固有の固有データが第２のデータフォーマットで記録されている再生専用データ記録媒体における前記第１のデータフォーマットと同一のフォーマットで前記ユーザデータが記録され、
前記固有データの少なくとも一部は、前記第２のデータフォーマットと異なる第３のデータフォーマットで記録されている、
記録可能データ記録媒体。
【請求項２】
前記第３のデータフォーマットで記録されている前記固有データの前記少なくとも一部は、前記ユーザデータの暗号化に用いられる暗号鍵の情報を含んでいる請求項１に記載の記録可能データ記録媒体。
【請求項３】
前記第３のデータフォーマットは、変調方式が前記第２のデータフォーマットと異なる請求項１に記載の記録可能データ記録媒体。
【請求項４】
前記第３のデータフォーマットにおける変調方式は、前記第２のデータフォーマットにおける変調方式に対して極性反転の関係にある請求項３に記載の記録可能データ記録媒体。
【請求項５】
前記第２のデータフォーマットにおける変調方式は、データ"０"をチャンネルデータ"１０"に変換し、データ"１"をチャンネルデータ"０１"に変換する方式であり、
前記第３のデータフォーマットにおける変調方式は、データ"０"をチャンネルデータ"０１"を変換し、データ"１"をチャンネルデータ"１０"に変換する方式である請求項４に記載のデータ記録媒体。
【請求項６】
前記第３のデータフォーマットは、エラー訂正データフォーマットが前記第２のデータフォーマットと異なる請求項１に記載の記録可能データ記録媒体。
【請求項７】
前記第３のデータフォーマットのエラー訂正データフォーマットは、生成多項式が前記第２のデータフォーマットにおけるエラー訂正データフォーマットと異なる請求項６に記載の記録可能データ記録媒体。
【請求項８】
前記固有データの少なくとも一部は、ＢＣＡ（Ｂｕｒｓｔ  Ｃｕｔｔｉｎｇ  Ａｒｅａ）に記録されている請求項１から６のいずれかに記載の記録可能データ記録媒体。
【請求項９】
個々の媒体に固有の固有データが記録されており、かつ、ユーザが使用するユーザデータを記録することができる記録可能データ記録媒体から前記ユーザデータを再生することができる光ディスク装置であって、
前記記録可能データ記録媒体と再生専用データ記録媒体とを判別する判別部と、
前記判別部の判別結果に基づいて前記固有データの再生方式を複数の再生方式から選択する固有データ再生手段と、
を備え、
前記再生専用データ記録媒体には、ユーザが使用するユーザデータが第１のデータフォーマットで記録され、かつ、個々の媒体に固有の固有データが第２のデータフォーマットで記録されており、
前記記録可能データ記録媒体には、前記再生専用データ記録媒体における前記第１のデータフォーマットと同一の第１のデータフォーマットで記録されており、また、固有データの少なくとも一部が前記第２のデータフォーマットと異なる第３のデータフォーマットで記録されている、光ディスク装置。
【請求項１０】
前記再生専用データ記録媒体の前記固有データを再生する場合には、前記第２のデータフォーマットに対応した再生方式を用い、前記記録可能データ記録媒体の前記固有データを再生する場合には、前記第３のデータフォーマットに対応した再生方式を用いる、請求項９に記載の光ディスク装置。
【請求項１１】
前記記録可能データ記録媒体に暗号化されたユーザデータが記録されている場合、前記記録可能データ記録媒体に記録されている前記固有データに含まれる情報に基づいて前記ユーザデータを復号する請求項９または１０に記載の光ディスク装置。
【請求項１２】
前記判別部は、データ記録媒体の物理的特徴を検出することによって前記再生専用データ記録媒体と前記記録可能データ記録媒体を判別する請求項９に記載の光ディスク装置。
【請求項１３】
前記物理的特徴は、記録トラックのウォブリングである請求項１２に記載の光ディスク装置。
【請求項１４】
前記物理的特徴は、記録グルーブにはさまれたランド部に形成されたピットである請求項１２に記載の光ディスク装置。
【請求項１５】
前記ユーザデータは、前記固有データから生成される暗号鍵によって解読可能なデータである請求項１２に記載の光ディスク装置。
【請求項１６】
前記第３のデータフォーマットは、変調方式が前記第２のデータフォーマットと異なる請求項１２に記載の光ディスク装置。
【請求項１７】
前記第３のデータフォーマットにおける変調方式は、前記第２のデータフォーマットにおける変調方式とは極性反転の関係にある請求項１６に記載の光ディスク装置。
【請求項１８】
前記固有データ再生手段は、
前記再生専用記録媒体の固有データを再生する場合、チャンネルデータ"１０"をデータ"０"に復調し、チャンネルデータ"０１"をデータ"１"と復調するのに対して、
前記記録可能媒体の固有データを再生する場合、チャンネルデータ"０１"をデータ"０"に復調し、チャンネルデータ"１０"をデータ"１"に復調する請求項１７に記載の光ディスク装置。
【請求項１９】
前記第３のデータフォーマットは、エラー訂正データフォーマットが前記第２のデータフォーマットと異なる請求項９に記載の光ディスク装置。
【請求項２０】
前記第３のデータフォーマットのエラー訂正データフォーマットは、生成多項式が前記第２のデータフォーマットにおけるエラー訂正データフォーマットと異なる請求項１９に記載の光ディスク装置。
【発明の詳細な説明】
【０００１】
【発明の属する技術分野】
本発明は著作権保護の適切な実行に適した光ディスクなどのデータ記録媒体、およびその再生装置などに関する。
【０００２】
【従来の技術】
各種のデータ（情報）を記録するディスク状記録媒体には、再生専用データ記録媒体と記録可能データ記録媒体がある。
【０００３】
従来、まず、再生専用データ記録媒体に書き込まれたデータを読み出す再生専用装置が普及した後、記録可能データ記録媒体にデータを書き込んだり、記録可能データ記録媒体に書き込まれたデータを読み出したりすることのできる光ディスク装置が普及するのが一般的であった。このため、記録可能データ記録媒体を再生専用装置でも再生することができるように、記録可能データ記録媒体の物理形状（ディスク径、ディスク厚さなど）、物理特性（反射率など）、およびデータ記録フォーマットは、可能な限り、再生専用データ記録媒体の物理形状、物理特性、およびデータ記録フォーマットと一致させることが行われてきた。その結果、再生専用データ記録媒体に記録された、著作権で保護されるべきデータが、記録可能データ記録媒体に複写されて著作権を侵害するという事態が発生している。
【０００４】
この事態を解消するため、光ディスクの分野においては、従来、種々の違法コピー防止技術が実施されてきた。以下、図１から図３を参照しながら、この違法コピー防止技術の従来例を説明する。
【０００５】
まず、図１を参照しながら、従来の記録可能データ記録媒体を説明する。記録可能データ記録媒体１には、変調固有データ１５が媒体１の製造段階で記録され、販売される。変調固有データ１５は、各記録媒体に固有の（ユニークな）情報、すなわち固有データ４が変調部１６によって変調されたものである。固有データ４は、例えばディスクＩＤなどであり得る。
【０００６】
記録可能データ記録媒体１を購入したユーザは、光ディスク装置を用いて、リムーバブルな記憶媒体に保存したいデータ６を記録可能データ記録媒体１のユーザ領域に記録し、再生することができる。
【０００７】
このような記録可能データ記録媒体１へのデータの記録および／または媒体１からのデータの再生が可能な装置（光ディスク装置）は、記録可能データ記録媒体１に記録されている変調固有データ１５を復調する復調部１７と、記録可能データ記録媒体１に記録されている暗号化データ２を解読する解読部１０とを備えている。
【０００８】
ユーザが記録可能データ記録媒体１に暗号化したデータ（暗号データ２）を記録する場合、データ６は光ディスク装置内の暗号化部７によりスクランブルデータなどの暗号化データ２に変換されてから、記録可能データ記録媒体１に記録される。この暗号化には、記録可能データ記録媒体１に予め記録されている変調固有データ１５が用いられる。具体的には、暗号化に先立って、変調固有データ１５が記録可能データ記録媒体１から再生され、復調部１７により復調される。復調された固有データ１５を用いてデータ６から暗号化データ２が作成される。
【０００９】
記録可能データ記録媒体１からデータを読み出すときも、まず、変調固有データ１５が再生され、変調固有データ１５から固有データ４が復調部１７によって復調される。次に、記録可能データ記録媒体１のユーザデータ領域から暗号化データ２が再生され、この暗号化データ２が解読部１０に送られる。暗号化データ２は、復調された固有データ４を用いて解読される。
【００１０】
次に、図２を参照して、再生専用データ記録媒体を説明する。
【００１１】
再生専用データ記録媒体１４は、暗号化データ２、変調固有データ１５、および記録暗号データ１２が製造段階で記録された後、出荷される。変調固有データ１５は、各記録媒体に固有の（ユニークな）情報、すなわち固有データ４が変調部１６によって変調されたものである。
【００１２】
暗号化データ２は、暗号鍵を用いてデータ６を暗号化することにより生成される。この暗号鍵は、暗号データ１１を用いて生成される。著作権により保護されるべきデータ６は、暗号鍵を用いて暗号化された後、暗号化データ２として再生専用記録媒体２に記録される。
【００１３】
暗号化データ２および記録暗号データ１２は、製造段階で記録媒体上の異なる領域に記録される。変調固有データ１５は、再生専用データ記録媒体１４に記録されない場合もある。ＤＶＤ−ＲＯＭの場合、記録暗号データ１２は、ＣＳＳ（Ｃｏｎｔｅｎｔｓ  Ｓｃｒａｍｂｌｉｎｇ  Ｓｙｓｔｅｍ）の暗号鍵情報を含み、暗号化データ１２は、上記の情報に基づいてデータ６の内容をスクランブルすることによって作成される。
【００１４】
再生専用データ記録媒体１４を購入したユーザは、正規の再生装置を用いて暗号化データ２を再生することができる。このような再生専用データ記録媒体１４のための再生装置は、再生専用データ記録媒体１４に記録されている変調固有データ１５を復調する復調部１７、記録可能データ記録媒体１に記録されている暗号化データ２を解読する解読部１０、再生対象の記録媒体が再生専用データ記録媒体か記録可能データ記録媒体かを判別する判別部８、および、判別部８の判別結果によって記録暗号データ１２の使用を禁止または許可するスイッチ１３を備えている。
【００１５】
図３（ａ）〜（ｃ）は、再生専用データ記録媒体と記録可能データ記録媒体の物理的な差異について示した模式図である。図３（ａ）は、再生専用データ記録媒体のトラックを示し、図３（ｂ）は記録可能データ記録媒体の記録トラックを示している。図３（ｃ）は、図３（ｂ）に示す部分を含む、より広い領域を示す図である。
【００１６】
再生専用データ記録媒体では、図３（ａ）に示されるように、データ記録トラック５０にピット５１が形成されている。これに対し、記録可能データ記録媒体では、図３（ｂ）に示されるように、データ記録トラックとして機能するグループ５２に記録マーク５３が形成される。記録マーク５３は、レーザの照射によって記録膜に形成された、他の部分とは反射率などの特性が異なる部分である。
【００１７】
ＤＶＤ−Ｒ／ＲＷなどの記録可能データ記録媒体では、図３（ｃ）に示されるように、グルーブ５２の間のランド部にピット５４が形成されており、グループ５２は一定の周期と振幅でわずかに蛇行している。このような蛇行は、「ウォブリング」と呼ばれる。このようなトラックのウォブリングは、再生専用データ記録媒体には存在しない。
【００１８】
前記再生装置の判別部８は、例えば、図３（ｃ）に示すようなグループのウォブリングを検出することにより、再生対象の記録媒体が再生専用データ記録媒体か記録可能データ記録媒体かを判別することができる。このような判別部８の一例として使用可能な検出装置は、例えば米国特許５，４５９，７０６号明細書や米国特許６，０８８，３０７号明細書に開示されている。これらの米国特許の内容をここに援用する。
【００１９】
図２に示すように、再生専用データ記録媒体１４から暗号化データ２を読み出すと、暗号化データ２は解読部１０で記録暗号データ１２を用いて解読される。この時、判別部８は再生しているデータ記録媒体が再生専用データ記録媒体であることを検出し、スイッチ１３をオン状態にする。変調固有データ１５は、必要に応じて復調部１７によって復調されて使用される。
【００２０】
次に、再生専用データ記録媒体１４に記録されている暗号化データ２及び記録暗号データ１２をそのまま違法に複写した記録可能データ記録媒体１を上記再生装置で再生する場合を説明する。
【００２１】
この場合、再生対象の記録媒体が再生専用データ記録媒体ではないと判別部８が判定するため、スイッチ１３がオフ状態にされる。その結果、記録暗号データ１２が解読部１０に送られず、暗号化データ２の再生は実行されない。
【００２２】
しかしながら、すべての再生装置が判別部８を備えているわけではない。判別部８を持たない再生装置は、記録可能データ記録媒体１と再生専用データ記録媒体１４を識別する機能を持たないため、解読部１０による解読動作を止めることができない。その結果、このような再生装置は、記録可能データ記録媒体１に対して違法に複写されたデータをも再生してしまう。
【００２３】
以上より明らかなように、記録可能データ記録媒体と再生専用データ記録媒体を判別する機能を持たない再生装置は、再生専用データ記録媒体や合法に記録された記録可能データ記録媒体だけでなく、暗号化データが再生専用データ記録媒体から違法に複写された記録可能データ記録媒体からも暗号化データをも再生してしまうこととなる。
【００２４】
なお、光ディスクにおいては、上記再生専用データ記録媒体としては、ＣＤ−ＲＯＭ、ＤＶＤ−ＲＯＭなどが知られており、上記記録可能データ記録媒体としては、ＣＤ−Ｒ、ＣＤ−ＲＷ、ＤＶＤ−Ｒ、ＤＶＤ−ＲＷ、ＤＶＤ−ＲＡＭなどが知られている。
【００２５】
この違法コピーの問題は、光ディスクに限らず、再生専用データ記録媒体と記録可能データ記録媒体が再生互換を持つデータ記録媒体に共通に当てはまる問題である。
【００２６】
【発明が解決しようとする課題】
本発明は上記問題点に鑑みてなされたものであり、その目的とするところは、記録されているユーザデータのうち、固有データを用いて暗号化されたユーザデータについては、記録可能データ記録媒体と再生専用データ記録媒体とを判別する機能を持たない再生装置では再生できず、適切な著作権保護機能を持つ再生装置でのみ再生可能にした記録可能データ記録媒体を提供することにある。
【００２７】
本発明の他の目的は、記録可能データ記録媒体に対して違法に複写された暗号化データの再生を禁止する一方、合法的に複写された暗号化データは再生できるようにした再生装置を提供することにある。
【００２８】
【課題を解決するための手段】
本発明による記録可能データ記録媒体は、個々の媒体に固有の固有データが記録されており、かつ、ユーザが使用するユーザデータが前記固有データを用いて暗号化されて記録される領域を備えている記録可能データ記録媒体であって、前記領域には、ユーザが使用するユーザデータが第１のデータフォーマットで記録され、かつ、個々の媒体に固有の固有データが第２のデータフォーマットで記録されている再生専用データ記録媒体における前記第１のデータフォーマットと同一のフォーマットで前記ユーザデータが記録され、前記固有データの少なくとも一部は、前記第２のデータフォーマットと異なる第３のデータフォーマットで記録されている。
【００２９】
ある好ましい実施形態において、前記第３のデータフォーマットで記録されている前記固有データの前記少なくとも一部は、前記ユーザデータの暗号化に用いられる暗号鍵の情報を含んでいる。
【００３０】
ある好ましい実施形態において、前記第３のデータフォーマットは、変調方式が前記第２のデータフォーマットと異なる。
【００３１】
ある好ましい実施形態において、前記第３のデータフォーマットにおける変調方式は、前記第２のデータフォーマットにおける変調方式に対して極性反転の関係にある。
【００３２】
ある好ましい実施形態において、前記第２のデータフォーマットにおける変調方式は、データ"０"をチャンネルデータ"１０"に変換し、データ"１"をチャンネルデータ"０１"に変換する方式であり、前記第３のデータフォーマットにおける変調方式は、データ"０"をチャンネルデータ"０１"を変換し、データ"１"をチャンネルデータ"１０"に変換する方式である。
【００３３】
ある好ましい実施形態において、前記第３のデータフォーマットは、エラー訂正データフォーマットが前記第２のデータフォーマットと異なる。
【００３４】
ある好ましい実施形態において、前記第３のデータフォーマットのエラー訂正データフォーマットは、生成多項式が前記第２のデータフォーマットにおけるエラー訂正データフォーマットと異なる。
【００３５】
ある好ましい実施形態において、前記固有データの少なくとも一部は、ＢＣＡ（Ｂｕｒｓｔ  Ｃｕｔｔｉｎｇ  Ａｒｅａ）に記録されている。
【００３６】
本発明による光ディスク装置は、個々の媒体に固有の固有データが記録されており、かつ、ユーザが使用するユーザデータを記録することができる記録可能データ記録媒体から前記ユーザデータを再生することができる光ディスク装置であって、前記記録可能データ記録媒体と再生専用データ記録媒体とを判別する判別部と、前記判別部の判別結果に基づいて前記固有データの再生方式を複数の再生方式から選択する固有データ再生手段とを備え、前記再生専用データ記録媒体には、ユーザが使用するユーザデータが第１のデータフォーマットで記録され、かつ、個々の媒体に固有の固有データが第２のデータフォーマットで記録されており、  前記記録可能データ記録媒体には、前記再生専用データ記録媒体における前記第１のデータフォーマットと同一の第１のデータフォーマットで記録されており、また、固有データの少なくとも一部が前記第２のデータフォーマットと異なる第３のデータフォーマットで記録されている。
【００３８】
ある好ましい実施形態において、前記再生専用データ記録媒体の前記固有データを再生する場合には、前記第２のデータフォーマットに対応した再生方式を用い、前記記録可能データ記録媒体の前記固有データを再生する場合には、前記第３のデータフォーマットに対応した再生方式を用いる。
【００３９】
ある好ましい実施形態において、前記記録可能データ記録媒体に暗号化されたユーザデータが記録されている場合、前記記録可能データ記録媒体に記録されている前記固有データに含まれる情報に基づいて前記ユーザデータを復号する。
【００４０】
前記判別部は、データ記録媒体の物理的特徴を検出することによって前記再生専用データ記録媒体と前記記録可能データ記録媒体を判別する。
【００４１】
前記物理的特徴は、記録トラックのウォブリングである。
【００４２】
前記物理的特徴は、記録グルーブにはさまれたランド部に形成されたピットである。
【００４３】
前記ユーザデータは、前記固有データから生成される暗号鍵によって解読可能なデータである。
【００４４】
前記第３のデータフォーマットは、変調方式が前記第２のデータフォーマットと異なる。
【００４５】
前記第３のデータフォーマットにおける変調方式は、前記第２のデータフォーマットにおける変調方式とは極性反転の関係にある。
【００４６】
前記固有データ再生手段は、前記再生専用記録媒体の固有データを再生する場合、チャンネルデータ"１０"をデータ"０"に復調し、チャンネルデータ"０１"をデータ"１"と復調するのに対して、前記記録可能媒体の固有データを再生する場合、チャンネルデータ"０１"をデータ"０"に復調し、チャンネルデータ"１０"をデータ"１"に復調する。
【００４７】
前記第３のデータフォーマットは、エラー訂正データフォーマットが前記第２のデータフォーマットと異なる。
【００４８】
前記第３のデータフォーマットのエラー訂正データフォーマットは、生成多項式が前記第２のデータフォーマットにおけるエラー訂正データフォーマットと異なる。
【００５０】
【発明の実施の形態】
以下、図面を参照しながら、本発明の実施形態を説明する。
【００５１】
本発明による記録可能データ記録媒体には、製造段階で、個々の媒体に固有の固有データが変調された状態で記録され、固有データ（変調固有データ）は、上記記録媒体を購入したユーザがデータを書き込む領域とは別の領域に記録されている。例えば、図４に示すディスク状データ記録媒体の場合、「ユーザデータ記録領域」よりも内周側（ディスク中心側）に位置するリードインエリア内に「固有データ記録領域」を配置することができる。
【００５２】
固有データ記録領域には、種々の形態で固有データが書き込まれ得る。例えば、ＤＶＤ−Ｒ規格に従う記録可能データ記録媒体の場合、記録媒体の反射膜中にディスク径方向の伸びるスリットを形成することにより、固有データが書き込まれる。上記スリットは、レーザトリミングなどによって反射膜の所定部分を焼き切ることによって形成される。このため、上記固有データ記録領域は「ＢＣＡ（Ｂｕｒｓｔ  Ｃｕｔｔｉｎｇ  Ａｒｅａ）」と呼ばれる。各スリットは、ディスクの径方向に伸び、ディスク接線方向に沿って配列される。
【００５３】
図５は、反射膜５２にスリット５２が形成された記録媒体表面の部分斜視図である。反射膜５２中にスリット５４が存在する部分と、スリット５４が存在しない部分では、レーザ光に対する反射率が異なる。再生専用装置や記録再生装置などの光ディスク装置は、記録媒体の固有データ記録領域にレーザ光を照射し、反射光の強度変化を検出することにより、固有データを読み出すことが可能になる。ＢＣＡ領域にディスクＩＤやその他の固有データを記録する方法および装置は、例えば、米国特許６，１６０，８８８号に記載されている。この米国特許の内容をここに援用する。
【００５４】
ＤＶＤ−Ｒの場合、トラッキングのための案内溝が形成されたディスク基板と反射膜との間に、有機色素系の記録膜が配置される。ユーザデータの記録は、レーザ光を上記記録膜に照射することによってマークを記録膜中に形成して行われる。ＤＶＤ−ＲＷの場合は、記録膜として相変化型記録材料が用いられる。
【００５５】
ユーザは、通常の光ディスク装置を用いて記録可能データ記録媒体に書き込まれている固有データを変更することはできない。固有データは、記録媒体毎に異なる情報、たとえばディスクＩＤを含んでいる。ユーザがユーザデータを暗号化してユーザデータ記録領域に書き込むとき、上記固有データが暗号鍵などとして用いられる。この固有データは、暗号化されたユーザデータを復号する際にも用いられる。ユーザデータは、本発明が対象とする再生専用データ記録媒体および記録可能データ記録媒体のいずれにおいても、同一のデータフォーマットで記録され得る。
【００５６】
次に、図６を参照する。本実施形態の記録可能データ記録媒体１は、図６に示すように、製造段階において変調固有データ３が記録された後、出荷される。変調固有データ３は、ＲＺ変調回路などの変調部５で固有データ４を変調することにより得られたものである。本実施形態では、固有データ４の変調を従来とは異なる変調方式Ｂに従って行う。従来の変調方式Ａは、再生専用データ記録媒体に変調固有データを記録する際に採用していた変調方式と同じものであった。しかし、本実施形態では、この変調方式Ａとは異なる変調方式Ｂを用いて固有データ４の変調を行う点に特徴のひとつを有している。
【００５７】
以下、図７（ａ）および図７（ｂ）を参照しながら、変調方式ＡおよびＢの差異を説明する。
【００５８】
図７（ａ）は、固有データが変調方式Ａに従って記録される例を示しているのに対して、図７（ｂ）は変調方式Ｂに従って固有データが記録される例を示している。図７（ａ）および（ｂ）において、固有データは、"０"および"１"の配列で規定されるデータ（ＤＡＴＡ）として示されている。
【００５９】
固有データは、記録媒体に記録される前に、ＰＥ（フェーズエンコード）変調によってチャンネルデータに変換される。変調方式Ａによる場合は、データ"０"はチャンネルデータ"１０"に変換され、データ"１"はチャンネルデータ"０１"に変換される。これに対して、変調方式Ｂによる場合は、データ"０"はチャンネルデータ"０１"に変換され、データ"１"はチャンネルデータ"１０"に変換される。上述のような関係にある変調方式を、本願明細書では、「極性反転の関係にある変調方式」と呼ぶことにする。
【００６０】
このように、もともと同じ情報を有する固有データであっても、ＰＥ変調後の固有データは、変調方式Ａに従うか変調方式Ｂに従うかによって異なるチャンネルビットの列で規定されることになる。言い換えると、再生専用データ記録媒体と記録可能データ記録媒体との間で、固有データのデータフォーマットが異なっている。なお、記録媒体には、上記チャンネルビット列がＲＺ方式で記録される。
【００６１】
図７（ａ）および（ｂ）において、「ＢＣＡ」と記された波形は、ＰＥ−ＲＺ変調部で変調された固有データを示している。この波形に基づいて、記録媒体のＢＣＡ領域に位置する反射膜中にスリット状の開口部が形成される（図４および図５参照）。より具体的には、変調固有データ（ＢＣＡ）を示す波形のＬｏｗレベルが、図５の反射膜５２中のスリット５４に対応するようにレーザトリミングが実行され得る。
【００６２】
図示されている例では、ＲＺ方式でチャネルビットデータが記録されるため、形成される各スリットの幅は一様であり、典型的には約１０μｍである。ここには、固有データ以外の情報が含まれていてもよい。
【００６３】
本発明によれば、同一の固有データであっても、変調方式Ａに従うか変調方式Ｂに従うかによって、変調固有データのデータフォーマットが異なり、その結果、記録媒体上で変調固有データを記録している部分（ＢＣＡ領域の反射膜）の物理的形状、すなわちスリットの配列パターンが異なっている。このため、再生専用データ記録媒体におけるＢＣＡ領域の変調固有データを記録可能データ記録媒体のＢＣＡ領域にコピーした場合、復調方式Ａに従って復調しない限り、変調固有データから固有データの内容を正しく復調することはできない。
【００６４】
なお、記録可能データ記録媒体に記録される固有データのすべての部分の変調について、変調方式Ｂが用いられる必要はない。記録される固有データの少なくとも一部につき、変調方式が変更されていれば良い。
【００６５】
次に、本発明による記録可能データ記録媒体に書き込まれたデータを再生するための再生装置を説明する。
【００６６】
この再生装置は、再生対象の記録媒体が再生専用データ記録媒体か記録可能データ記録媒体かを判別する判別部８と、判別部８の判別結果に従って、復調方式Ａまたは復調方式Ｂのいずれか一方を選択して変調固有データ３を復調する復調部９とを備えている。それ以外の点では、従来の再生装置や記録再生装置と同様の構成を備えていればよい。
【００６７】
本発明による記録可能データ記録媒体にユーザデータを記録するために用いられる記録再生装置は、上記再生装置と同様の機能をもつユニット以外に、データ記録に必要な公知のユニットを備えている。
【００６８】
次に、上記の記録再生装置を用いて、記録可能データ記録媒体へ暗号化データを記録する場合を説明する。
【００６９】
再び、図６を参照する。まず、変調固有データ３が復調部９で再生され、その出力が暗号化部７に送られる。復調部９において使用される復調方式としては、記録再生装置に挿入されている記録媒体が記録可能データ記録媒体であることを媒体判別部８が検出した結果、復調方式Ｂが用いられる。暗号化部６によってデータ６を暗号化して暗号化データ２に変換する際、復号部９で復調された固有データが使用される。
【００７０】
次に、引き続き図６を参照しながら、本発明による再生装置または記録再生装置を用いて記録可能データ記録媒体２の暗号化データを再生する場合を説明する。この場合も、判別部８の判別結果により、復調部９の復調方式として復調方式Ｂが選択され、その結果、変調固有データ３が復調部９で適切に復調される。復調された固有データ４は、解読部１０に送られ、暗号化データ２の解読に用いられる。
【００７１】
再生対象の記録媒体が記録可能データ記録媒体であるかどうかを判別する機能を持たない従来の再生装置を用いて、本実施形態の記録可能データ記録媒体を再生しようとした場合を説明する。この場合、復調部の行う復調方式が復調方式Ａに限定されるため、変調方式Ｂで変調された変調固有データ３の復調を正常に行うことができず、暗号化データ２を再生できなくなる。よって、本発明における記録可能データ記録媒体を再生するためには、データ記録媒体が再生専用データ記録媒体であるのか、記録可能データ記録媒体であるのかを判別する機能を持つことが再生装置に必須となる。その結果、再生装置へのデータ記録媒体の判別機能の付与を促し、著作権保護をより確実なものにすることができる。
【００７２】
次に、図８を参照しながら、本発明による再生装置を用いて再生専用データ記録媒体１４を再生する場合を説明する。
【００７３】
再生専用データの製造は、図４を参照しながら説明したとおりであるので、ここで説明は繰り返さない。再生専用データ記録媒体１４には、変調方式Ａで変調された変調固有データ１５が記録されている。
【００７４】
再生段階においては、再生対象の記録媒体が再生専用データ記録媒体であることが判別部８によって検出され、スイッチ１３がオン状態になる。また、再生対象の記録媒体が再生専用データ記録媒体であるため、判別部８の判別結果により、復調方式として復調方式Ａが選択される。その結果、変調固有データ１５は正常に復調される。
【００７５】
次に、再生専用データ記録媒体１４に記録されている暗号化データ２及び記録暗号データ１２をそのまま違法に複写した記録可能データ記録媒体１を再生しようとした場合を説明する。この場合は、再生対象の記録媒体が再生専用データ記録媒体ではないと判別部８が判定するため、スイッチ１３はオフされ、記録暗号データ１２が解読部１０に送られない。その結果、暗号化データ２の再生ができなくなる。
【００７６】
次に、ユーザデータが正規に記録された記録可能データ記録媒体を上記再生装置で再生する場合を説明する。この場合、再生対象の記録媒体が再生専用データ記録媒体ではないと判別部８が判定するため、スイッチ１３はオフされ、記録暗号データ１２が解読部１０に送られない。再生対象の記録媒体が記録可能データ記録媒体であるため、判別部８の判別結果により、復調方式として復調方式Ｂが選択される。その結果、変調固有データ１５は正常に復調される。この変調固有データ１５に基づいて、解読部１０は暗号化データ２を再生することができる。
【００７７】
次に、図９を参照しながら、記録可能データ記録媒体としてＤＶＤ−Ｒを用いる場合を具体例にとり、再生段階での信号の流れを説明する。図９に示されるＤＶＤ−Ｒディスク１０１には、変調方式Ｂに従って変調された固有データ１０５が記録されている。
【００７８】
ＤＶＤ−Ｒディスク１０１に対してデータ再生を行うとき、ディスク１０１のユーザデータ領域１０２に記録されているフラグ情報１０３が再生手段１０６によって読み出されるとともに、ディスク１０１のウォブリング検出が行われる。再生手段１０６の出力は、８−１６復調部１０７で復調された後、エラー訂正部１０８でエラー訂正の処理を受ける。その後、フラグ情報１０６はシステム制御部２００に送られる。ウォブリング検出回路１０９により、ディスク１０２上にウォブリングの存在が検知されると、極性切換部１１０で「極性切換」の動作が実行される。
【００７９】
システム制御部２００は、フラグ情報１０３に基づいてディスク１０１がＤＶＤ−Ｒであることを判別し、固有データ１０５の読み出しを再生手段１０６に指示する。再生手段１０６は、ディスク１０１のユーザデータ領域１０２よりも内周側に移動し、固有データ１０５の読み出しを行う。読み出された固有データは、極性切換部１１０、ＲＺ復調部１１１、およびエラー訂正部１１２を経て再生され、暗号鍵として暗号化部２１０に送られる。エラー訂正部１１２は、エラー訂正データ１０７と同一の回路によって実現される。
【００８０】
システム制御部２００がユーザデータの記録を指示すると、ユーザデータ（記録データ）は、上記の暗号鍵を用いて暗号化部１２０で暗号化される。暗号化されたユーザデータは、エラー訂正符号追加部１２１でエラー訂正符号が追加された後、８−１６変調部１２００での変調を受ける。その後、ユーザデータは、記録手段１２３によってディスク１０１のユーザデータ領域に記録される。
【００８１】
再生手段１０６は、記録手段１２３を備えた光ピックアップを用いて実現することができる。光ピックアップのトラッキング制御は、ユーザデータを再生するときにはオン状態にされるが、ＢＣＡ領域の固有データを再生するときはオフ状態にされてもよい。
【００８２】
図１０を参照しながら、ＤＶＤ−Ｒから暗号化されたユーザデータを再生する場合を説明する。
【００８３】
まず、ディスク１０１のユーザデータ領域１０２に記録されているフラグ情報１０３が再生手段１０６によって読み出されるとともに、ウォブリング検出回路１０９によるウォブリング検出が行われる。再生手段１０６の出力は、８−１６変調部１０７およびエラー訂正部１０８での処理を受けてから、システム制御部２１０に送られる。
【００８４】
ウォブリング検出により、ディスク１０１上にウォブリングの存在が検知されると、極性切換部１１０において「極性切換」の動作が実行される。
【００８５】
システム制御部２００は、ユーザデータが固有データを用いて暗号化されていることを、フラグ情報１０３に基づいて検知すると、固有データ１０５の読み出しを再生手段１０６に指示する。再生手段１０６によって読み出された固有データ１０５は、極性切換部１１０、ＲＺ復調部１１１、およびエラー訂正部１１２での各処理を経て再生される。再生された固有データは、暗号鍵復調部で復調され、暗号鍵が読み出される。暗号鍵は、暗号化部２１０に送られる。
【００８６】
システム制御部２１０がユーザデータの再生を指示すると、ユーザデータは、８−１６復調部１０７、エラー訂正部１０８、暗号解読部２１０での処理を受けて、再生される。暗号解読には、固有データから再生された上記暗号鍵が使用される。
【００８７】
ＤＶＤ−ＲＯＭディスク１０１に記録されていた暗号化データ（ユーザデータ）が違法にＤＶＤ−Ｒにコピーされていた場合、その暗号化データの暗号化に用いられた固有データは、ＤＶＤ−Ｒディスクの製造段階でＤＶＤ−Ｒディスクに記録されていた固有データと一致しない。その結果、ＤＶＤ−Ｒディスク１０１から読み出された固有データに基づいて、ユーザデータ領域１０２の暗号化データを解読することはできない。仮に、何らかの方法でＤＶＤ−ＲＯＭの固有データがＤＶＤ−Ｒディスクの固有データ記録領域に書き込まれていたとしても、ＤＶＤ−ＲＯＭディスクの固有データと、ＤＶＤ−Ｒディスクの固有データとは、変調方式が異なるため、ＲＺ復調後、エラー訂正部１１２でエラーと判定される。その結果、ＤＶＤ−ＲＯＭディスク１０１上の暗号鍵の復調に失敗するため、暗号化データを解読し、再生することはできない。
【００８８】
なお、ＤＶＤ−ＲＯＭディスクのＣＳＳのキーがＤＶＤ−Ｒディスクにコピーされた場合でも、ウォブリングの検出により再生対象がＤＶＤ−Ｒであることを再生装置が検知した場合、再生装置はＣＳＳキーのデコードを実行しないように構成されている。
【００８９】
本発明の記録可能データ記録媒体を再生することが可能な再生装置は、全て判別部８を持っているため、スイッチ１３の制御のためにはわずかなコスト増加で対応することができる。
【００９０】
また、従来の再生装置は復調方式Ａを実現する回路を備えているため、インバータとセレクタのみを付加するたけで復調方式Ａまたは復調方式Ｂの一方を選択的に実行する構成を実現できる。このため、わずかのコスト増加により、著作権保護をより確実なものにすることができる。
【００９１】
なお、判別部８は、図５（ｃ）に示すグループのウォブリングを検出する方法以外の方法を用いて記録可能データ記録媒体か再生専用データかの識別を行ってもよい。例えば、グルーブ間のランドに形成されたピットを検出する方法を用いてもよい。
【００９２】
以上説明してきたように、本発明では、固有データに記録再生について、再生専用データ記録媒体と記録可能データ記録媒体との間で、データフォーマットの少なくとも一部を異なるようにしている。上記の実施形態では、データ変調方式を変更することによって、両者のデータフォーマットを区別しているが、本発明はこれに限定されない。たとえば、固有データに関するエラー訂正データフォーマットを再生専用か記録可能かに応じて変更しても良い。その場合、エラー訂正データフォーマットの生成多項式を変更すればよい。
【００９３】
また、固有データに関する複数種類のデータフォーマットのうち、実際に固有データの記録に際して採用したデータフォーマットの種類を特定する情報を記録可能データ記録媒体のトラック（ユーザデータ領域）上に書き込んでおいてもよい。
【００９４】
【発明の効果】
本発明の記録可能データ記録媒体によれば、記録されているユーザデータのうち、固有データを用いて暗号化されたユーザデータについては、記録可能データ記録媒体と再生専用データ記録媒体とを判別する機能を持たない再生装置では再生できないようにすることができる。こうすることにより、データ記録媒体の判別機能を再生装置に付与することを促し、著作権保護をより確実なものにすることが可能になる。
【００９５】
本発明の再生装置によれば、違法に複写された暗号化データを記録可能データ記録媒体から再生できないが、合法的に複写された暗号化データは記録可能データ記録媒体から再生できる。このため、合法的な複写については、ユーザに不利益を及ばさない。
【図面の簡単な説明】
【図１】  従来の記録可能データ記録媒体について、製造段階及び再生段階における信号の流れを示したブロック図である。
【図２】  再生専用データ記録媒体について、製造段階及び再生段階における信号の流れを示したブロック図である。
【図３】  （ａ）〜（ｃ）は、再生専用データ記録媒体と記録可能データ記録媒体にユーザデータ領域の物理的特徴を示す図である。
【図４】  再生専用データ記録媒体（ＤＶＤ−ＲＯＭ）と記録可能データ記録媒体（ＤＶＤ−Ｒ／ＲＷ）の一部を示す図である。
【図５】  データ記録媒体への固有データの記録に使用され得るＢＣＡの一部を示す斜視図である。
【図６】  本発明による記録可能データ記録媒体について、製造、記録、再生の各段階での信号の流れを示したブロック図である。
【図７】  （ａ）は、本発明による記録可能データ記録媒体における固有データの変調を示す図であり、（ｂ）は、本発明による記録可能データ記録媒体と互換性のある再生専用データ記録媒体における固有データの変調を示す図である。
【図８】  本発明による記録可能データ記録媒体と互換性のある再生専用データ記録媒体を本発明による再生装置で再生する段階での信号の流れを示したブロック図である。
【図９】  本発明による記録可能データ記録媒体としてＤＶＤ−Ｒディスクを用いた場合の記録動作を示す図である。
【図１０】  本発明による記録可能データ記録媒体としてＤＶＤ−Ｒを用いた場合の再生動作を示す図である。
【図１】
0003895181.tif 000002
【図２】
0003895181.tif 000003
【図３】
0003895181.tif 000004
【図４】
0003895181.tif 000005
【図５】
0003895181.tif 000006
【図６】
0003895181.tif 000007
【図７】
0003895181.tif 000008
【図８】
0003895181.tif 000009
【図９】
0003895181.tif 000010
【図１０】
0003895181.tif 000011